(57)【要約】【課題】設置及び取り外しが容易であり、且つ、屋内からの投映であっても、屋内・屋外共に良好な映像視認性を提供することができる（すなわち、いずれの面から投映しても、両面において良好な映像視認性を提供する）安価なプロジェクタ投映用スクリーンを提供すること。【解決手段】ユポ紙（株式会社ユポ・コーポレーションが製造・販売する、ポリプロピレン樹脂を主原料とする半透明の合成紙。登録商標）１０をプロジェクタ投映用のスクリーンとして用いる。ユポ紙１０は半透明であるため、一方から映像を投映してもその光がスクリーンを透過することなく、殆どの光がスクリーン上の映像形成に使用される。なおかつ、その投映映像は、投映面側からだけではなく、反対側の面からも明瞭に視認することができる。しかも、プロジェクタからスクリーンへの投映角度（プロジェクタからの光の光軸とスクリーン面との間の角度）が相当小さくても、スクリーン上での投映映像は十分鮮明である。【選択図】　図１
2004004476.tif 000002
【特許請求の範囲】
【請求項１】
スクリーン部をユポ紙のみで構成したことを特徴とする両面視認型プロジェクタ投映用スクリーン。
【請求項２】
ユポ紙を２枚の透明板で挟んで構成したことを特徴とする両面視認型プロジェクタ投映用スクリーン。
【請求項３】
上記ユポ紙の厚さが５０μｍ〜９０μｍであることを特徴とする請求項１又は２に記載の両面視認型プロジェクタ投映用スクリーン。
【請求項４】
上記透明板がアクリル板であることを特徴とする請求項２に記載の両面視認型プロジェクタ投映用スクリーン。
【請求項５】
スクリーン部をユポ紙のみで構成したことを特徴とする巻き上げ式両面視認型プロジェクタ投映用スクリーン。
【請求項６】
上記ユポ紙の厚さが６０μｍ〜９０μｍであることを特徴とする請求項５に記載の両面視認型プロジェクタ投映用スクリーン。
【発明の詳細な説明】
【０００１】
【発明の属する技術分野】
本発明は、ショーウィンドーやビルなどのディスプレイやスタンド型・吊り下げ型等として用いるプロジェクタ投映用スクリーンに関する。
【０００２】
【従来の技術】
店頭や街頭において、一定時間毎に変化する静止画や動画を表示することにより効果的な宣伝・広告を行うことが近年広く行われるようになってきた。実用化されているものでは、ビルなどの壁面に大形のブラウン管や液晶或いはプラズマ等の表示装置を設置して映像を表示する方法や、壁面にスクリーンを張設してそこに映像を投映する、或いは白色とした壁面自体に映像を投映するという方法がある。このうち、壁面にブラウン管、液晶、プラズマ等の表示装置を設置する方法では、いずれの表示装置を用いるにせよコストが非常に高く、また、その設置は半永久的なものとなってしまう。一方、壁面にスクリーンを張設したり、壁面自体をスクリーンとする方法では、コストは遙かに低く、設置・取り外しも容易であるが、外部に投映装置を設けなければならず、精密光学機械である投映装置の雨露や塵埃からの保護という問題がある。
【０００３】
そこで、ショーウィンドーのガラス面にスクリーンを設け、屋内側からプロジェクタでそのスクリーン上に映像を投映するという方法が盛んに行われている。この方法には、投映装置の保護に関する問題が少ない、映像品質の劣化が少ない、高さをほぼ歩行者等の目の高さと同じにすることができるため視認者側からの視認性が優れている、等の多くの利点がある。
【０００４】
屋内投映方法において、ショーウィンドーのガラス面に設けるスクリーンにも各種方法があるが、一つには、ガラス面に白色の粉末を吹き付け固定し或いは塗料を薄く塗布し、スクリーン面とする方法がある。
【０００５】
【発明が解決しようとする課題】
ガラス面に粉末を吹き付けたり塗料を塗布する方法では、そのショーウィンドーにおいてスクリーンが固定されてしまい、後に透明のガラス面に戻すことが不可能であったり面倒な作業が必要となる。
【０００６】
このため、ガラス面の内側に半透明のスクリーンを吊り下げ或いは貼付する方法が考えられる。しかし、屋内側から投映し、それを屋外側から良好に視認させるためには、スクリーンは適度な半透明性を有さなければならない。スクリーンが透明すぎると、投映光の多くがスクリーンを透過してしまい、スクリーンに投映される映像が弱くなってしまうとともに、投映光以外の屋内側からの光が視認者側に向かうため、映像は極めて不鮮明なものとなる。一方、スクリーンの透明度を低くし過ぎると、屋内側（投映側）からの映像の視認性は良好であるが、肝心の屋外側からは映像がほとんど視認できないということになる。
【０００７】
本発明はこのような課題を解決するために成されたものであり、その目的とするところは、設置及び取り外しが容易であり、且つ、屋内からの投映であっても、屋内・屋外共に良好な映像視認性を提供することができる（すなわち、いずれの面から投映しても、両面において良好な映像視認性を提供する）安価なプロジェクタ投映用スクリーンを提供することにある。
【０００８】
【課題を解決するための手段】
上記課題を解決するために成された本発明に係る両面視認型プロジェクタ投映用スクリーンの第１の態様のものは、スクリーン部をユポ紙のみで構成したことを特徴とする。
【０００９】
また、本発明に係る両面視認型プロジェクタ投映用スクリーンの第２の態様のものは、ユポ紙を２枚の透明板で挟んで構成したことを特徴とする。
【００１０】
【発明の実施の形態及び効果】
ユポ紙とは、株式会社ユポ・コーポレーションが製造・販売する、ポリプロピレン樹脂を主原料とする半透明の合成紙で、トレースや商業印刷、パッケージ、情報用紙として用いられている。なお、「ユポ」は登録商標（登録第２７２１０６２号　）である。
【００１１】
本願発明は、このユポ紙をプロジェクタ投映用のスクリーンとして用いるものである。上記の通り、ユポ紙は半透明であるため、一方から映像を投映してもその光がスクリーンを透過することなく、殆どの光がスクリーン上の映像形成に使用される。なおかつ、その投映映像は、投映面側からだけではなく、反対側の面からも明瞭に視認することができる。しかも、プロジェクタからスクリーンへの投映角度（プロジェクタからの光の光軸とスクリーン面との間の角度）が相当小さくても、スクリーン上での投映映像は十分鮮明である。
【００１２】
なお、特開平２００１−２２０００号公報には、ユポトレーシングフィルムを用いたリアスクリーン用ロール式ブラインドが開示されている（［００２８］及び図５）が、これは元来ブラインドであるため、透明な基材（「ポリカーボネートフィルム材質の透明アクリル樹脂」）を必須としている。それに対し、本発明ではユポ紙のみでスクリーンを構成するため、ガラス面への貼付も容易であり、後述の巻上式スクリーンとする場合も、取り扱いが容易である。また、透明基材側の面ではその面からの反射光が投映光と共に視認者の目に入るため、投映映像の視認性が劣るという問題点もある。それに対し、本発明では両面とも反射光がほとんど生じず、スクリーン面に投映された映像のみが視認者の目に入り、良好に視認される。
【００１３】
ユポ紙には種々の厚さのものが用意されているが、両面からの視認性を良好にするためには、５０〜９０μｍ程度の厚さのものを使用するのが好ましい。両面を透明板で挟む場合やスクリーン面の面積が小さい場合、或いはガラス面等に貼付する場合には、このうち比較的薄手のもの（５０〜７０μｍ程度）が適しており、後述の巻上式のように強度も必要とされる場合には、比較的厚手のもの（６０〜９０μｍ程度）を使用することが望ましい。
【００１４】
本発明に係るスクリーンは、種々の態様で使用することができる。まず、図１に示すように、透明ガラス面１１に貼付する方法がある。ユポ紙１０は比較的軽量であるため、そう大きなスクリーンとするのでなければ、貼付の際に接着剤を全面に付着させる必要はなく、周囲のみ、或いは上辺のみをガラス面１１又はその周囲の枠１２に接着するだけで十分全体を保持することが可能である。適切な接着剤を選定することにより、不要となった際のスクリーン１０の取り外しも極めて容易であり、跡も残らない。ユポ紙は比較的安価であるため、スクリーン１０が汚れたときは容易に交換することができる。
【００１５】
また、図２に示すように、従来より広く使用されている巻き上げ式（ロールアップ式）スクリーン２０とすることもできる。この方式のスクリーン２０を使用する場合、必ずしもショーウィンドー等のガラス面の内側で用いる必要はなく、部屋の中央に設けることもできる。これにより、両側から映像を楽しむことのできるパーティションとしても使用することができる。ユポ紙は強度が高いため、高さ２ｍ程度の大きさのスクリーンを構成し、図２に示すように下辺に安定用重錘棒２３を装着しても破れることなく、安定して使用することができる。なお、不要の場合には、巻上紐２４で巻き上げることにより、スクリーン２０は上部のケース２１内に収納される。また、半分だけ巻き上げて天井近くの部分にだけスクリーンを設け、下は通り抜け可能として頭上にのみ投映するという使い方も可能である。このような使い方をするときは、プロジェクタ２２は上部に設ける（天井吊り下げ型とする）ことが望ましい。
【００１６】
更には、図３に示すように、ユポ紙３１を２枚の透明板３２、３３で挟んでもよい。両面を透明板３２、３３で挟む場合、透明板３２、３３としてはアクリル板を使用することが望ましい。アクリル板は高い透明度を有するため視認度を良好に保持することができる上、強度も兼ね備えているため、薄い板で大きなスクリーンを構成することが可能となる。２枚の透明板で挟んだスクリーンは、床に立てるスタンド型としてもよいし、天井からの吊り下げ型としてもよい。図４に、スタンド型の両面視認型プロジェクタ投映用スクリーンの一例を示す。このスクリーン４０では、ユポ紙４１（６２０ｍｍ×１１００ｍｍ）を２枚のアクリル板４２（７３０ｍｍ×１１４０ｍｍ×厚さ５ｍｍ）で挟み、下辺で固定して、１本の伸縮可能な脚４３及びフロアプレート４４で床上に置くようにしたものである。
【００１７】
これら以外にも、本発明第２の態様に係るスクリーンは、普段は壁面や天井に平行に収納しておき、必要なときに壁面や天井に垂直に（又は角度を持たせて）立て、スクリーンとして使用するような形態でも使用することができる。
【図面の簡単な説明】
【図１】本発明の第１の態様である両面視認型プロジェクタ投映用スクリーンの一実施例を示す説明図。
【図２】本発明の第１の態様である両面視認型プロジェクタ投映用スクリーンの他の実施例を示す説明図。
【図３】本発明の第２の態様である、両面を透明板で挟む構造のスクリーンの断面図。
【図４】本発明の第２の態様であるスタンド型両面視認型プロジェクタ投映用スクリーンの実施例を示す説明図。
【符号の説明】
１０…スクリーン（ユポ紙）
１１…透明ガラス面
１２…ガラス枠
２０…スクリーン（ユポ紙）
２１…巻上ケース
２２…プロジェクタ
２３…安定用重錘棒
２４…巻上紐
３１…ユポ紙
３２、３３…透明板
４０…スタンド型両面視認型プロジェクタ投映用スクリーン
４２…透明アクリル板
４１…ユポ紙
４３…伸縮可能脚
４４…フロアプレート
【図１】
2004004476.tif 000003
【図２】
2004004476.tif 000004
【図３】
2004004476.tif 000005
【図４】
2004004476.tif 000006
【手続補正書】
【提出日】平成15年6月4日(2003.6.4)
【手続補正１】
【補正対象書類名】明細書
【補正対象項目名】特許請求の範囲
【補正方法】変更
【補正の内容】
【特許請求の範囲】
【請求項１】
スクリーン部をユポ紙のみで構成したことを特徴とする両面視認型プロジェクタ投映用スクリーン。
【請求項２】
ユポ紙を２枚の透明板で挟んで構成したことを特徴とする両面視認型プロジェクタ投映用スクリーン。
【請求項３】上記透明板がアクリル板であることを特徴とする請求項２に記載の両面視認型プロジェクタ投映用スクリーン。
【請求項４】上記ユポ紙の厚さが５０μｍ〜９０μｍであることを特徴とする請求項１〜３のいずれかに記載の両面視認型プロジェクタ投映用スクリーン。
【請求項５】
スクリーン部をユポ紙のみで構成したことを特徴とする巻き上げ式両面視認型プロジェクタ投映用スクリーン。
【請求項６】
上記ユポ紙の厚さが６０μｍ〜９０μｍであることを特徴とする請求項５に記載の両面視認型プロジェクタ投映用スクリーン。